(57)【要約】【課題】【解決手段】デジタルカメラ装置１自身が備える撮像機能により撮像して得られる撮像画像データと、同じく自身が備える受信データ取得手段によって、外部の施設装置から受信した受信データ（場所情報及び現在時刻情報）とを、コンテンツ作成のための素材データとして取得可能に構成する。そして、これらの取得した素材データの内容が提示されるように、ＨＴＭＬファイルを有して成るコンテンツを作成するように構成する。これにより、コンテンツ作成装置を携帯して、移動先でコンテンツ素材としてのデータを収集する操作を行いさえすれば、コンテンツ作成装置が自動的にコンテンツを作成するという動作が得られることになる。【選択図】        図４
2004199234.tif 000002
【特許請求の範囲】
【請求項１】
撮像手段と、
上記撮像手段により撮像された撮像画像に基づく画像データを取得する画像データ取得手段と、
外部の施設装置から送信される、この施設装置の設置位置に対応する場所を示す場所情報と、現在時刻情報とを受信し、受信データとして取得する受信データ取得手段と、
少なくとも、上記画像データ取得手段により取得された上記画像データと、上記受信データ取得手段により取得した上記受信データの内容について、これらデータの取得順が反映された所定の態様による再生出力が行われるように、所定のマークアップ言語により記述されるコンテンツの作成処理を実行する作成手段と、
を備えていることを特徴とするコンテンツ作成装置。
【発明の詳細な説明】
【０００１】
【発明の属する技術分野】
本発明は、例えばＨＴＭＬなどに代表されるマークアップ言語により記述されるデータファイルを有して成るコンテンツを作成するためのコンテンツ作成装置に関する。
【０００２】
【従来の技術】
近年、インターネットが広く普及している。そして、このようなインターネットの利用形態の１つとして、一般ユーザの間でも、いわゆるホームページを作成してインターネット上で公開することが広く行われるようになってきている。
このようなホームページは、現状は、例えばＨＴＭＬ(Hyper Text Markup Language)によるコンテンツデータとして作成されることが一般的である。ＨＴＭＬとは周知のようにして、マークアップ言語の１つであり、例えばＨＴＭＬファイルのソースコードにおいて記述されるタグによって、再生時における表示等の出力態様が規定される仕組みを有する。
【０００３】
上記のようなＨＴＭＬによるホームページの作成は、上記もしているように、ＨＴＭＬファイルを作成することによって行われる。つまり、目的とする再生出力態様が得られるように、テキストによるソースコードを入力してＨＴＭＬファイルを作成するものである。
しかし、このようにしてソースコードを直接的に編集するようなＨＴＭＬファイルの作成の仕方では、例えばＨＴＭＬに関して専門的な知識を有している者でなければ、意図通りの内容のコンテンツを容易に作成できない。
【０００４】
そこで、近年においては、ＨＴＭＬに関する専門知識を特に有していない一般のユーザによっても、より手軽にホームページとしてのＨＴＭＬコンテンツを作成してもらうことを目的としたアプリケーションソフトウェア（ＨＴＭＬ作成ソフト）が開発され、普及している。
このようなＨＴＭＬ作成ソフトとしてのアプリケーションソフトウェアは、例えばホームユースのパーソナルコンピュータにインストールされる。
【０００５】
そしてユーザがホームページを作成する際には、パーソナルコンピュータ上で起動させたＨＴＭＬ作成ソフトに対する操作を行うようにされる。この場合の操作は、いわゆるＧＵＩによるものであり、例えば、視覚的にブラウザによって再生出力される場合と同じ表示となるように操作を行うようにされる。具体的には、例えば、ＨＴＭＬ作成ソフトにおける作業画面上において、実際にホームページ上で画像を表示させたいとする位置にに、必要な画像データをドラッグ・アンド・ドロップ操作によりペーストするようにされる。また、文字を表示させたい位置を指定して文字入力を行ったりするようにされる（例えば特許文献１）。
ＨＴＭＬ作成ソフトでは、上記のようにしてユーザの操作に応じて指定される表示等の出力態様が実際にブラウザで再生されるように、ＨＴＭＬファイルのソースコードを記述する処理を実行する。
【０００６】
このようにして、ユーザは、ＧＵＩによるＨＴＭＬ作成ソフトを利用することで、特にＨＴＭＬの専門知識が無くともＨＴＭＬコンテンツを作成することができる。
【０００７】
【特許文献１】
特開２００２−２４５７５５号公報
【０００８】
【発明が解決しようとする課題】
しかしながら、より手軽にＨＴＭＬコンテンツが作成できる環境を提供することができれば、これまでよりも、ホームページ作成の難易度はさらに低くなって、ユーザにとっても好ましいことになる。
【０００９】
例えば、ユーザがホームページを作成するケースとして、行楽の記録をホームページにしたいと思ったとする。このような場合、ユーザがホームページを作成するのにあたって必要となる情報としては、例えば、行楽先で赴いた場所や、そこにいた時刻などの移動記録的な情報のほか、行楽先で撮影した写真、ビデオ画像などの画像データなどを挙げることができる。
【００１０】
しかしながら、ホームページの作成は、例えば自宅に戻ってからパーソナルコンピュータによりＨＴＭＬコンテンツ作成のアプリケーションソフトウェアを操作して行うのであるから、上記したようなホームページ作成の素材となる場所や時間などの情報は、行楽途中では、メモ書きなどによって人手によって記録しておかなければならない。そして、これらの情報は、パーソナルコンピュータ上でホームページを作成するときに、ユーザが、メモを見ながらキーボードなどによって入力しなければならないことになる。
また、写真、ビデオ画像などの画像データを、ホームページに載せようと思えば、これらの画像データをパーソナルコンピュータに取り込む必要もあって、決して、簡易な作業であるとはいえない。
【００１１】
このようにして、従来におけるホームページ（ＨＴＭＬコンテンツ）の作成は、パーソナルコンピュータ上で、アプリケーションソフトウェアを起動させて行うものであるから、素材を人的に収集した後に、改めて、これらの収集した素材を利用してホームページを作成するという段階を踏まなければならない。このような点で、従来におけるホームページ（ＨＴＭＬコンテンツ）の作成は手間のかかるものであり、より簡易にホームページを作成できる環境を提供する余地は充分に残っているといえる。
【００１２】
【課題を解決するための手段】
そこで本発明は上記した課題を考慮して、コンテンツ作成装置として次のように構成することとした。
つまり、撮像手段と、この撮像手段により撮像された撮像画像に基づく画像データを取得する画像データ取得手段と、外部の施設装置から送信される、この施設装置の設置位置に対応する場所を示す場所情報と、現在時刻情報とを受信し、受信データとして取得する受信データ取得手段と、少なくとも、画像データ取得手段により取得された画像データと、受信データ取得手段により取得した受信データの内容について、これらデータの取得順が反映された所定の態様による再生出力が行われるように、所定のマークアップ言語により記述されるコンテンツの作成処理を実行する作成手段とを備える。
【００１３】
上記構成によると、本発明のコンテンツ作成装置は、コンテンツ素材として、少なくとも、撮像により得られた画像データと、外部の施設装置から受信した受信データ（場所情報及び現在時刻情報）とを取得可能とされている。そして、これらの取得したデータについて、取得順が反映されるようにして所定のマークアップ言語を記述することによって、コンテンツの作成処理を実行するようにされる。
つまり、本発明のコンテンツ作成装置は、取得されるコンテンツ素材を利用して、自動的にコンテンツを作成するようにされている。そして、コンテンツの作成処理にあたっては、コンテンツの内容（再生出力態様）として、コンテンツ素材の取得順が反映されるようにしているが、これは即ち、コンテンツ素材を順次取得していく過程においての時間経過が、コンテンツの内容として表現していることになる。
【００１４】
【発明の実施の形態】
図１は、本発明の実施の形態としてのコンテンツ作成装置である、デジタルカメラ装置１の内部構成例を示している。
撮像部２は、例えばレンズ、絞りなどを備えて撮像光を得る撮像光学系、及び撮像光を電気信号に変換するＣＣＤ(Charge Coupled Device)を備えて成るものとされる。なお、撮像部２における各種の設定は、システムコントローラ８の制御によって変更可能とされている。
撮像部２にて得られた撮像光の電気信号は、撮像信号処理部３に入力され、所定フォーマットによるデジタル画像データ（ファイル）に変換された上で、必要に応じて所要の信号処理が施される。この撮像信号処理部３から出力された画像データは、システムコントローラ８の制御によって、例えば内部データバス１５を介して、メモリドライブ６に転送されることで、後述するメモリメディア２０に書き込んで保存することができる。また、ＲＡＭ１０に一時保持して、所要のアプリケーション処理に利用することができる。
【００１５】
受信部４は、施設として適宜必要な場所に設置される、所定種類の装置（「施設装置」ということにする）から送信される情報を受信して、受信データを取得する部位とされる。ここでの受信データとしては、少なくとも、施設装置の設置位置に対応する場所（地域）を示す場所情報、及び現在時刻（例えば日にちを含めてもよい）を示す時刻情報から成る情報の組をいうこととする。
【００１６】
そして、本実施の形態において、上記受信部４が受信すべき受信データを送信する施設装置としては、例えば、図にも示しているように、近年我が国の鉄道機関において普及してきている、ＩＣカード対応の自動改札機３１を挙げることができる。また、近年高速道路の料金所の施設として普及してきている、自動料金徴収システムであるＥＴＣ(Electoric Toll Collection System)設置装置３２を挙げることができる。
【００１７】
ＩＣカード対応の自動改札機３１では、通過しようとする乗降客の所有するＩＣカードに対して、例えば、その自動改札機３１が設置されている駅名を示す情報と、通過時刻の情報を書き込み、これにより、適正な料金徴収が行われるようにされている。従って、例えば本実施の形態のデジタルカメラ装置１を、自動改札機１に設けられるＩＣカード情報通信部に対して接触させる、又は近づけると、デジタルカメラ装置１の受信部４において、自動改札機１が送信する駅名と通過時刻の情報が受信されることになる。この場合には、駅名の情報が場所情報となり、通過時刻が時刻情報となる。
【００１８】
また、ＥＴＣ設置装置３２も、料金所のゲートを通過しようとする自動車に搭載されるＥＴＣ車載装置と通信を行って、適正に運賃などの課金処理が実行されるようにするのであるが、この際には、このＥＴＣ設置装置３２が設置される料金所が在るインターチェンジ名の情報と、ＥＴＣ設置装置３２を通過したときの通過時刻の情報が、ＥＴＣ設置装置３２から送信される。
つまり、例えばユーザが自動車内に本実施の形態のデジタルカメラ装置１を持ち込んだ上で、ＥＴＣ設置装置３２が設置されたＥＴＣ用のゲートを通過するようにすれば、デジタルカメラ装置１は、ＥＴＣ設置装置３２がＥＴＣ車載機に送信した情報を受信することができる。そして、このようにして受信した情報のうちから、インターチェンジ名の情報を場所情報とし、ＥＴＣ設置装置３２の通過時刻の情報を時刻情報として抽出することで、受信データを取得できることになる。
【００１９】
ユーザインターフェイス部５は、例えば、各種操作子、及び表示部などのユーザインターフェイスに関する部位から成るものとされる。
例えば、ユーザインターフェイス部５としての操作子に対して操作が行われると、この操作に応じた操作コマンドが内部データバス１５を介してシステムコントローラ８に送信される。システムコントローラ８では、受信した操作コマンドに応答した所要の動作が得られるように所要の制御動作を実行する。
また、システムコントローラ８は、現在の動作状況等に応じて、ユーザインターフェイス部５を構成する表示部において必要な内容が表示されるように、そのための表示画像データ生成処理及び表示制御処理を実行する。
【００２０】
特に、本実施の形態においては、このユーザインターフェイス部５に対する操作として、デジタルカメラ装置１の各種動作をコントロールするような操作だけではなく、入力操作として、少なくとも、任意のテキスト（文字、記号など）を入力することができるようにされている。そして、このように入力されたテキストのデータは、例えば、後述するようにして作成されるＨＴＭＬコンテンツにて表示させるべきテキスト内容として扱うようにもされる。つまり、ユーザインターフェイス部５に対する操作により入力したテキスト情報は、ＨＴＭＬコンテンツ作成のための素材データとして扱う場合があるものとされる。
【００２１】
本実施の形態のデジタルカメラ装置１は、リムーバブルメディアであるメモリメディア２０に対応して読み出し／書き込みが可能とされている。メモリドライブ６は、このメモリメディア２０に対応して設けられるドライブである。
ここで、メモリメディア２０は、例えばフラッシュメモリなどの不揮発性のメモリ素子を備えて成るメディアである。ユーザは、このメモリメディア２０を外部からメモリスロット７に対して装填するようにされる。すると、メモリドライブ６と、メモリメディア２０は、メモリスロット７を介して電気的に接続されることとなって、メモリドライブ６によるメモリメディア２０へのアクセスが可能となる。なお、メモリドライブ６によるメモリメディア２０に対するデータの読み出し／書き込みは、システムコントローラ８の制御によって実行される。
【００２２】
システムコントローラ８は、これまでの説明からも理解されるように、デジタルカメラ装置１全体についての動作制御を実行する。
ＲＯＭ９には、上記システムコントローラ８が実行すべきプログラムの他、プログラム実行時に必要とされる各種固定の設定情報などが格納される。ＲＡＭ１０は、システムコントローラ８が各種の処理を実行する際に、一時的にデータを書き込んで保持させる、いわゆる作業領域として使用される。
【００２３】
上記図１に示した構成によるデジタルカメラ装置１では、３つの形態による情報取得が可能とされていることになる。
つまり、１つには、撮像部２及び撮像信号処理部３を備えることで、撮像画像を画像データ化した撮像画像データを取得することが可能とされている。
また、１つには、受信部４を備えることで、ＩＣカード対応の自動改札機３１又はＥＴＣ設置装置３２から、場所情報及び時刻情報から成る受信データを取得することが可能とされている。
さらに、１つには、ユーザインターフェイス部５としての所定操作子に対する操作による、テキスト情報に代表されるユーザ入力データを取得することが可能とされている。
つまり、「撮像画像データ」「受信データ（場所情報＋時刻情報）」「ユーザ入力データ」の３種類の情報を取得可能とされている。
【００２４】
そして、本実施の形態では、上記のようにして取得した撮像画像データ、受信データ、及びユーザ入力データを利用して、ＨＴＭＬコンテンツを自動作成し、例えばメモリスロット７に装填されたメモリメディア２０に書き込んで記憶させることが可能なように構成される。
ここで、このような本実施の形態のＨＴＭＬコンテンツ作成機能により作成されたＨＴＭＬコンテンツを、ブラウザにより再生して表示出力させた場合の表示態様例を、図２に示す。
この図に示すＨＴＭＬコンテンツは、デジタルカメラ装置１のユーザが行楽に行ったときの様子を示しており、先ず、タイトルとして「＜○△山にお出かけ＞」というテキストが２行目に表示されている。
また、１行目から改行された２行目には、「９：１０  都会駅」というように、時刻と場所を示すテキストが表示されている。
さらに、２行目から改行された３行目には、「電車は込んでいたけど座れてラッキー！」という、コメントとしてのテキストが表示され、３行目から改行された４行目には「１１：３０  奥の山駅」という時刻と場所を示すテキストが表示されている。
また、上記４行目のテキストの直ぐ下の領域には、○△山の在る場所で、デジタルカメラ装置１により撮像して得た撮像画像データが表示されている。
また、撮像画像データの下の行には、「沢登りスタート！！」というコメントがテキストにより表示されている。
【００２５】
このようなＨＴＭＬコンテンツの内容を見た者は、順に上から見ていくと、このときの時間経過に従った、ユーザの行動を把握できることになる。
つまりは、９：１０分頃に都会駅に居て、ここから奥の山駅に向かって電車に乗ったことが分かる。そして、１１：３０頃には、奥の山駅についており、この後、先ず、沢登りの前に、その付近の写真を撮ってから、沢登りを開始したことが分かる。
【００２６】
ここで、図２に示す表示内容において、先ず、１行目の「＜○△山にお出かけ＞」というテキストは、ユーザがユーザインターフェイス部５に対する操作を行って、文字入力を行うことで得られたものとされる。つまり、ユーザ入力データを基として表示されている内容である。
また、同じくユーザ入力データを基として表示されている内容は、３行目の「電車は込んでいたけど座れてラッキー！」、及び最終行の「沢登りスタート！！」という、コメントのテキストとなる。
【００２７】
また、図２に示す表示内容において、２行目と４行目の、「９：１０  都会駅」「１１：３０  奥の山駅」は、都会駅、奥の山駅各駅の自動改札機３１から受信した受信データを基として表示されているものである。
そして、図２に示す表示内容において表示されている１つの撮像画像データは、デジタルカメラ装置１により撮像して得た撮像画像データを基としていることになる。
【００２８】
続いて、上記図２に示す表示内容となるＨＴＭＬコンテンツが作成される過程を、ユーザによるデジタルカメラ装置１に対する操作手順例に従って、図３を参照して説明する。
先ず、ユーザは、予め、ＨＴＭＬコンテンツ作成モードを設定したうえで、メモリスロット７にメモリメディア２０を装填する。これにより、デジタルカメラ装置１では、ＨＴＭＬファイルとしてのデータを作成し、メモリメディア２０に対して書き込んで保存することを行う。なお、この作成初期時のＨＴＭＬファイルのソースコードとしては、例えば実際に表示されるべきタグ内の内容などは記述されていないものとされ、例えば<HTML> </HTML>などの必要最小限のタグのみが記述されていればよいものとする。
そして、上記のようにしてＨＴＭＬコンテンツ作成モードが設定されて、メモリメディア２０が装填されると、以降においてデジタルカメラ装置１により取得される「撮像画像データ」「受信データ（場所情報＋時刻情報）」「ユーザ入力データ」は、次に説明するようにして、ＨＴＭＬコンテンツを作成する要素として扱われ、これらの情報を基に、メモリメディア２０に記憶されているＨＴＭＬファイルの記述内容が更新されていくことになる。
【００２９】
そして、ユーザは上記のようにしてＨＴＭＬコンテンツ作成モードを設定し、メモリメディア２０を装填したデジタルカメラ装置１を携帯して出かける。そして、この場合には、都会駅の改札を通過する前に、ユーザインターフェイス部５の操作子を操作して、「＜○△山にお出かけ＞」というテキストを入力している。このようにして入力されたテキストは、図３（ａ）に示すようにして、ユーザ入力データとして扱われ、デジタルカメラ装置１では、メモリメディア２０に記憶されているＨＴＭＬファイルについて、１行目に「＜○△山にお出かけ＞」のテキストが表示されるように、ソースコードを記述する処理を実行する。
【００３０】
そしてこの後、ユーザは、都会駅から電車に乗って奥の山駅に向かうために、改札を通過するが、このときにユーザは、都会駅に設置されている自動改札機３１のＩＣカード通信部に対して、デジタルカメラ装置１を通信可能な位置にまで近づけるようにする。これにより、デジタルカメラ装置１では、自動改札機３１のＩＣカード通信部から送信されてくる、駅名の情報と現在時刻の情報を受信部４により受信し、受信データを取得することになる。このときの受信データは、図３（ｂ）に示すようにして、［場所情報＝都会駅、時刻情報＝９：１０]という内容のものとなる。そして、この受信データの内容が、上記１行目に続く２行目においてテキストで表示されるようにして、ソースコードの記述を追加する処理を実行する。
【００３１】
この後、ユーザは、例えば都会駅から乗った電車の車中において、ユーザインターフェイス部５に対する操作によって、「電車は込んでいたけど座れてラッキー！」という内容のテキストを入力する。このようにして入力されたテキストも、図３（ｃ）に示すように、ユーザ入力データとして扱われ、この内容が、上記２行目に続く３行目の内容としてテキストにより表示されるように、メモリメディア２０に記憶されているＨＴＭＬファイルのソースコードが追加的に記述される。
【００３２】
この後、電車が奥の山駅に到着して、ユーザが改札を通過するときに、都会駅の場合と同様にして、奥の山駅に設置されている自動改札機３１のＩＣカード通信部に対して、デジタルカメラ装置１を通信可能な位置にまで近づけるようにされる。これにより、デジタルカメラ装置１では、受信部４によって駅名の情報と現在時刻の情報から成る受信データを取得することになる。このときの受信データは、図３（ｄ）に示すように、［場所情報＝奥の山駅、時刻情報＝９：１０]という内容のものとなる。そして、この場合のデジタルカメラ装置１では、受信データの内容が、上記３行目に続く４行目においてテキストで表示されるようにして、ソースコードを追加して記述する処理を実行する。
【００３３】
ユーザは、上記のようにして奥の山駅の改札を出ると、続いては、沢登りの入り口に向かうことになる。そして、例えばこの場合には、沢登りの入り口で、デジタルカメラ装置１を操作して風景の写真を撮影している。これによって、デジタルカメラ装置１では、図３（ｅ）に示すように、撮像画像データが得られることになる。
そして、デジタルカメラ装置１では、このようにして得られた撮像画像データについて、例えば、メモリメディア２０において、ＨＴＭＬファイルが記憶されているのと同じディレクトリに書き込んで記憶させる。そして、ＨＴＭＬファイルについては、例えば図２のようにして、４行目のテキストの下側の位置にて、この撮像画像データが所定サイズで表示されるように、ソースコードを追加的に記述する。
【００３４】
そして、上記のようにして沢登り入り口の写真を撮影した後において、ユーザは、沢登りをする前に、ユーザインターフェイス部５に対する操作によって、「沢登りスタート！！」というテキストを入力する。この「沢登りスタート！！」というテキストのデータは、図３（ｆ）に示すようにして、ユーザ入力データとして扱われ、デジタルカメラ装置１は、このテキスト内容が上記撮像画像データの下の位置に表示されるように、ＨＴＭＬファイルのソースコードを追加的に記述する処理を実行する。
【００３５】
例えば上記したような手順による、ユーザのデジタルカメラ装置１に対する操作などが行われるのに応じて、デジタルカメラ装置１には、「撮像画像データ」「受信データ（場所情報＋時刻情報）」「ユーザ入力データ」のうちの何れかの種類のデータが、コンテンツ作成のための素材データとして、順次取得されていくことになる。そして、このようにして、順次取得されたデータについて、例えば、その取得順に対応した表示態様が得られるようにして、ＨＴＭＬファイルのソースコードを記述していくようにされる。この場合には、図２にも示すようにして、素材データの取得順は、ブラウザ画面上における表示位置として、上から下に順次表示されるようにして反映される。
【００３６】
ここで、上記のような操作により完成したＨＴＭＬコンテンツのデータは、例えば、このときにメモリスロット７に装填されているメモリメディア２０に記憶されていることになる。
そして、例えばユーザは、このメモリメディア２０を媒体として、ＨＴＭＬコンテンツデータをパーソナルコンピュータ、携帯電話、ＰＤＡなどに取り込ませて、ＨＴＭＬコンテンツのブラウザにより表示出力させることができる。また、取り込ませたＨＴＭＬコンテンツをインターネット上で公開し、例えば不特定多数の人や知人などに、インターネットと接続されたパーソナルコンピュータなどにより閲覧してもらうことなども可能とされる。
【００３７】
上記のようにして、デジタルカメラ装置１によりＨＴＭＬコンテンツが作成されることによっては、ユーザは、従来のようにして、後から、自宅のパーソナルコンピュータなどにインストールされたホームページ作成のためのアプリケーションソフトウェアを利用して、はじめからＨＴＭＬコンテンツを作成するという面倒な作業を行う必要は無いことになる。つまり、より手軽で簡単にホームページを作成する環境が得られていることになる。
【００３８】
また、本実施の形態では、素材データの取得順が反映されるようにしてＨＴＭＬコンテンツを作成しているのであるが、ここで、データの取得順は、時間経過にも対応している。これは即ち、ＨＴＭＬコンテンツに表示される内容として、そのときの時間経過に応じた状況が表現されていることを意味する。
つまり、本実施の形態のデジタルカメラ装置１は、その場で収集した素材データによってＨＴＭＬコンテンツを自動作成するのにあたって、収集した素材データを単に適当に表示させるＨＴＭＬコンテンツとするのではなく、少なくとも、時間的流れについては表現を行うようにして、ＨＴＭＬコンテンツを作成可能であるということがいえる。これにより、自動的に作成されるＨＴＭＬコンテンツでありながら、より視覚的にも分かりやすい良質な内容となるように配慮しているものである。
【００３９】
続いては、上記図２及び図３により説明したような、「撮像画像データ」「受信データ（場所情報＋時刻情報）」「ユーザ入力データ」の取得に基づいた、デジタルカメラ装置１におけるＨＴＭＬコンテンツ作成のための動作を実現する処理動作について、図４のフローチャートを参照して説明する。なお、この図４に示す処理は、システムコントローラ８が実行する。
【００４０】
ここで、先に図３においても説明したように、ユーザにより、ＨＴＭＬコンテンツ作成モード設定のためのユーザインターフェイス部５に対する操作が行われたとされると、システムコントローラ８は、ステップＳ１０１の処理として、ＨＴＭＬコンテンツ作成モードを設定する。
【００４１】
そして、次のステップＳ１０２の処理として、メモリメディア２０がメモリスロット７に装填されるのを待機している。そして、メモリメディア２０が装填されたことが判定されると、ステップＳ１０３の処理に進む。
ステップＳ１０３では、前述したように、初期状態のＨＴＭＬファイルを作成する。そして、この作成したＨＴＭＬファイルをメモリメディア２０に対して転送して書き込んで記憶させるための制御処理を実行する。
なお、確認のために述べておくと、この段階では、前述もしたように、以降において、撮像部２、撮像信号処理部３により取得される「撮像画像データ」、受信部４により取得される「受信データ（場所情報＋時刻情報）」、及びユーザインターフェイス部５に対する操作により取得される「ユーザ入力データ」は、ＨＴＭＬコンテンツを作成する要素として扱われることになる。
【００４２】
そして、ステップＳ１０３以降においては、ステップＳ１０４，Ｓ１０５，Ｓ１０６に示す各処理によって、「撮像画像データ」「受信データ（場所情報＋時刻情報）」「ユーザ入力データ」のうち、何れかのデータが取得されるのを待機している。そして、これらのうちの何れかのデータを取得したことが判別されるとステップＳ１０７に進む。
ステップＳ１０７では、取得したデータがしかるべき表示態様によってブラウザ上で表示されるように、ＨＴＭＬコンテンツのデータについての編集を実行する。ここでのＨＴＭＬコンテンツの編集とは、例えば「受信データ（場所情報＋時刻情報）」又は「ユーザ入力データ」であれば、これらの内容がテキスト等によって表示されるようにして、ＨＴＭＬファイルのソースコードを追加記述する処理となる。また、「撮像画像データ」であれば、取得した撮像画像データが、ＨＴＭＬコンテンツを形成するオブジェクトとなるように、メモリメディア２０の所要のディレクトリに、撮像画像データを書き込んで記憶させ、さらに、この撮像画像データがブラウザ上で適正位置に表示されるように、ＨＴＭＬファイルのソースコードを追加記述する処理となる。
【００４３】
この図では、ステップＳ１０７の処理を終了した後は、ステップＳ１０４の処理に戻るようにされており、これによって、以降において、「撮像画像データ」「受信データ（場所情報＋時刻情報）」「ユーザ入力データ」の何れかが取得されるごとに、ステップＳ１０７に示す処理によって、ＨＴＭＬコンテンツの編集が実行されることになる。つまり、図３（ａ）〜（ｆ）に説明したようにして、データが取得されるごとに、順次、その内容が反映されるようにして、ＨＴＭＬコンテンツが作成されていくこととなる。
なお、この図には示していないが、例えば、今回作成したＨＴＭＬコンテンツが記憶されたメモリメディア２０がメモリスロット７から抜き取られた場合、また、今回作成したＨＴＭＬコンテンツが記憶されたメモリメディア２０と異なるメモリメディア２０に交換されるようにして、他のメモリメディア２０が装填された状態となった場合には、ＨＴＭＬコンテンツ作成モードを抜け、この図に示す処理を終了することとする。また、今回作成したＨＴＭＬコンテンツが記憶されたメモリメディア２０は装填されているが、ユーザによる操作によって、ＨＴＭＬコンテンツ作成モードの設定解除が行われた場合にも、この図に示す処理は終了される。
【００４４】
また、本発明としては、これまでに説明した実施の形態に限定されるものではない。
先ず、ユーザインターフェイス部５に対する操作によって取得される「ユーザ入力データ」は、ここではテキストとされているが、例えば、ユーザがユーザインターフェイス部５に対する操作によって描いたとされる絵柄、デザイン模様的な画像データなども「ユーザ入力データ」として扱うことが可能である。
また、上記実施の形態では、デジタルカメラ装置が撮像画像データとして取得可能な画像は、静止画、動画の何れかに限定されるものではない。
また、ＨＴＭＬコンテンツを作成するコンテンツ作成装置としては、デジタルカメラ装置に限定されるものではなく、例えば撮像機能、文字等の入力機能を有する携帯電話とされてもよい。さらには、本発明に対応する機能を実行させるアプリケーションをインストールすることによって、例えば撮像機能付きのＰＤＡ(Personal Digital Assistants)などの携帯型の情報処理装置を、本発明のコンテンツ作成装置として構成することが可能となる。
【００４５】
【発明の効果】
以上説明したように本発明は、少なくとも、自身が備える撮像機能により撮像して得られる撮像画像データと、同じく自身が備える受信データ取得手段によって、外部の施設装置から受信した受信データ（場所情報及び現在時刻情報）とを、コンテンツ作成のための素材データとして取得可能とされる。そして、これらの取得した素材データの内容が提示されるように、所定のマークアップ言語により記述されるファイルを有して成るコンテンツを作成することが可能とされる。
これは、例えばユーザとしては、本発明によるコンテンツ作成装置を携帯して、移動先でコンテンツ素材としてのデータを収集する操作を行いさえすれば、コンテンツ作成装置が自動的にコンテンツを作成してくれるということになる。これにより、例えばユーザは、ネットワーク上でホームページとして公開するようなコンテンツの作成を、これまでよりも手軽で簡単に行うことができることになる。
また、本発明では、コンテンツの作成処理にあたっては、コンテンツの内容（再生出力態様）として、コンテンツ素材の取得順が反映されるようにしている。これは、コンテンツ素材を順次取得していく過程においての時間経過をコンテンツの内容として表現しているということになる。つまり、本発明では、取得されたコンテンツ素材を、単にコンテンツの内容に含めるだけではなく、取得順に応じて時間経過状況を表現するレベルまでの編集を、コンテンツの作成と同時に行うようにされているものであり、これによって、例えば自動作成による段階でも、より実用的で充実した内容のコンテンツとなるように配慮されているものである。
【図面の簡単な説明】
【図１】本発明の実施の形態のデジタルカメラ装置の構成例を示すブロック図である。
【図２】本実施の形態のデジタルカメラ装置により作成されるＨＴＭＬコンテンツについて、ブラウザにより出力した場合の表示態様例を示す説明図である。
【図３】図２に示す表示態様のＨＴＭＬコンテンツが作成される手順を示す説明図である。
【図４】本実施の形態におけるＨＴＭＬコンテンツ作成のための処理動作を示すフローチャートである。
【符号の説明】
１  デジタルカメラ装置、２  撮像部、３  撮像信号処理部、４  受信部、５ユーザインターフェイス部、６  メモリドライブ、７  メモリスロット、８  システムコントローラ、２０  メモリメディア、３１  自動改札機、３２  ＥＴＣ設置装置
【図１】
2004199234.tif 000003
【図２】
2004199234.tif 000004
【図３】
2004199234.tif 000005
【図４】
2004199234.tif 000006